(57)【要約】  【課題】  簡単な構成で、トレイとこれを駆動するトレイギアとの間に位相ズレが生じないようにしたディスク装置を提供する。  【解決手段】  トレイ１０のラック部１０ａにおいて、トレイギア８との最初の噛み合い部分となる１歯目を２歯分の大きさとした大歯部１０ａａを設けている。一方、カムスライダー６のラック部６ａにおいても、同様にしてトレイギア８との最初の噛み合い部分となる１歯目を２歯分の大きさとした大歯部６ａａを設けている。そして、トレイギア８には、前記それぞれの大歯部に対応して、それらが噛み合うように１歯分以上の領域を削除した欠歯部８ａ，８ｂをそれぞれ設けている。【選択図】      図２
2007018671.tif 000002
【特許請求の範囲】
【請求項１】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを有し、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置であって、
ディスクを搬送するトレイと、そのラック部に噛合して該トレイを駆動するトレイギア
を設け、ディスクを載置したトレイを前記装置本体内に移動させ、該装置本体内に設けた
クランパーと前記トラバースメカに設けたターンテーブルとの間に前記ディスクをクラン
プして、該ディスクに対して前記光ピックアップにより記録或いは再生を行うディスク装
置において、
前記トレイのラック部の１歯目を他の歯より大きい大歯部とし、前記トレイギアに該大
歯部と噛み合う第１の欠歯部を設け、また前記カムスライダーのラック部の１歯目を他の
歯より大きい大歯部とし、前記トレイギアに該大歯部と噛み合う第２の欠歯部を設け、さ
らに前記トレイのラック部全域に、前記第１或いは第２の欠歯部と噛み合う大歯部を設け
たことを特徴とするディスク装置。
【請求項２】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを有し、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置であって、
ディスクを搬送するトレイと、そのラック部に噛合して該トレイを駆動するトレイギア
を設け、ディスクを載置したトレイを前記装置本体内に移動させ、該装置本体内に設けた
クランパーと前記トラバースメカに設けたターンテーブルとの間に前記ディスクをクラン
プして、該ディスクに対して前記光ピックアップにより記録或いは再生を行うディスク装
置において、
前記トレイのラック部の１歯目を他の歯より大きい大歯部とし、前記トレイギアに該大
歯部と噛み合う第１の欠歯部を設けたことを特徴とするディスク装置。
【請求項３】
前記カムスライダーのラック部の１歯目を他の歯より大きい大歯部とし、前記トレイギ
アに該大歯部と噛み合う第２の欠歯部を設けたことを特徴とする請求項２に記載のディス
ク装置。
【発明の詳細な説明】
【技術分野】
【０００１】
本発明は、ＣＤ，ＤＶＤ等のディスクに対して記録或いは再生を行うディスク装置に関
するものであり、特に、トレイ及びトレイギアの構造に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
ところが、このような従来のディスク装置においては、トレイ移動時の僅かなタイミング
のズレや、トレイに加わった負荷等のために、トレイとこれを駆動するトレイギアとの間
にいわゆる位相ズレを生じることがある。
【０００３】
図４は、従来のディスク装置におけるトレイ部分を示す図であり、平面図としている。
同図ではトレイが閉じたときの各部の位置関係を、トレイを透視した状態で描いてある。
また、図５は図４の一点鎖線で囲んだＡ部詳細図であり、トレイギア及びその近傍の拡大
図である。これらの図に示すように、ローダーシャーシ１には、ディスクを前後方向に搬
送するトレイ１０及び、左右方向にスライドして後述するトラバースメカを昇降させるカ
ムスライダー６が設けられている。
【０００４】
トレイ１０の下面右側にはラック部１０ａが前後方向に延びており、またカムスライダ
ー６の右側後部にはラック部６ａが左右方向に延びている。各ラック部はトレイギア８と
噛み合い可能であり、ラック部１０ａが噛み合った状態でトレイギア８が回転することに
よりトレイ１０が前後方向に移動し、ラック部６ａが噛み合った状態でトレイギア８が回
転することによりカムスライダー６が左右方向にスライドする仕組みである。
【０００５】
さて、図の状態からトレイ１０を開く場合は、トレイギア８が右回転してラック部１０
ａと噛み合い始め、トレイ１０が駆動されて前方へと移動する。また、図の状態からカム
スライダー６をスライドさせる場合は、トレイギア８が左回転してラック部６ａと噛み合
い始め、カムスライダー６が駆動されて右方へとスライドし、後述するトラバースメカを
上昇させる。
【０００６】
しかし、従来は各図に示すように、トレイギア及び各ラック部それぞれの歯の大きさや
ピッチが同じであるので、移動時の僅かなタイミングのズレや異常な負荷等のために、ト
レイ１０或いはカムスライダー６とこれを駆動するトレイギア８との間に、特に噛み合い
時に歯飛びを起こして、いわゆる位相ズレを生じることがある。このような位相ズレが生
じると、本来噛み合うべき歯同士が噛み合っていないため、ディスクの搬送動作やチャッ
キング動作が正常に行えなくなる。そこで近年、トレイとトレイギアとの位相ズレ防止を
図ったものが提案されてきている。
【０００７】
例えば、トレイを組み付ける際にトレイのラックと駆動ギアとの噛み合わせがずれない
ようにしたディスク装置が、特許文献１に開示されている。具体的には、駆動ギアの歯と
歯との間に逃げ部を設け、トレイのラックの導入部に逃げ部に対応する幅を有する幅広部
を設けてなり、トレイを組み付ける過程でトレイの幅広部が駆動ギアの逃げ部に嵌合して
第１のギアに噛合するトレイのラックの噛合位置と、第２のギアとを可動ベース駆動部材
のラックの噛合位置とが一致して１回の操作でトレイを確実に組み付けることができる構
成としている。
【特許文献１】特開２００２−２８８９１６号公報
【発明の開示】
【発明が解決しようとする課題】
【０００８】
しかしながら、上記特許文献１に記載のような構成では、駆動ギアの特定の噛み合い位
置合わせが必要な場合は適用できない。また、このような噛み合い位置合わせが必要な場
合、従来一般的には、トレイ挿入時にトレイを駆動するギアの向きを治具等で規制させつ
つ組み付けを行っていたので、不便で作業性が悪かった。
【０００９】
本発明は、このような問題点に鑑み、簡単な構成で、トレイとこれを駆動するトレイギ
アとの間に位相ズレが生じないようにしたディスク装置を提供することを目的とする。
【課題を解決するための手段】
【００１０】
上記目的を達成するために、本発明では、装置本体に固定のシャーシと、モータの駆動
により複数のギアを介して前記シャーシに対して所定方向に昇降可能なトラバースメカと
、光ピックアップを有するとともに前記トラバースメカに設けられて前記モータの駆動に
より前記トラバースメカの昇降方向に略直交する方向に移動可能なピックアップユニット
とを有し、前記トラバースメカの昇降の方向及び前記ピックアップユニットの移動方向に
対して略直交する方向に移動できるように前記シャーシに設けられたカムスライダーと、
前記カムスライダーとのカム係合により前記トラバースメカを昇降させるように前記トラ
バースメカに設けられたシフトレバーとを備えたディスク装置であって、ディスクを搬送
するトレイと、そのラック部に噛合して該トレイを駆動するトレイギアを設け、ディスク
を載置したトレイを前記装置本体内に移動させ、該装置本体内に設けたクランパーと前記
トラバースメカに設けたターンテーブルとの間に前記ディスクをクランプして、該ディス
クに対して前記光ピックアップにより記録或いは再生を行うディスク装置において、前記
トレイのラック部の１歯目を他の歯より大きい大歯部とし、前記トレイギアに該大歯部と
噛み合う第１の欠歯部を設けたことを特徴とする。
【００１１】
また、前記カムスライダーのラック部の１歯目を他の歯より大きい大歯部とし、前記ト
レイギアに該大歯部と噛み合う第２の欠歯部を設けたことを特徴とする。さらに、前記ト
レイのラック部全域に、前記第１或いは第２の欠歯部と噛み合う大歯部を設けたことを特
徴とする。
【発明の効果】
【００１２】
本発明によれば、簡単な構成で、トレイとこれを駆動するトレイギアとの間に位相ズレ
が生じないようにしたディスク装置を提供することができる。
【発明を実施するための最良の形態】
【００１３】
以下、本発明の実施の形態について、図面を参照しながら説明する。
【実施例１】
【００１４】
図１は、本発明の実施例１に係るディスク装置のディスクローダーを示す図であり、平
面図としている。このディスク装置は、ディスクを搬送するトレイ（不図示）と、トレイ
の搬送方向（前後方向）に略垂直な方向に旋回して昇降可能なトラバースメカ２とがロー
ダーシャーシ１に設けられている。なお、ローダーシャーシ１は図示しない装置本体に固
定されている。
【００１５】
トラバースメカ２にはディスクの記録または再生を行う光ピックアップを有したピック
アップユニット３と、ピックアップユニット３をディスクの径方向に移動させるモータ４
とが設けられている。モータ４には複数の平ギアから成る伝達手段５が取り付けられてお
り、モータ４の駆動力を減速して伝達する。伝達手段５がピックアップユニット３に形成
されたラック部３ａと噛合することにより、モータ４によってピックアップユニット３が
移動できるようになっている。
【００１６】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１７】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１８】
ディスクのチャック部を具体的に説明すると、ローダーシャーシ１の上側に左右方向に
渡ってクランパーホルダーが架設されており、その中央には略円板状のクランパーが回転
自在に設けられている（不図示）。一方、図示しないスピンドルモータにより回転駆動さ
れるターンテーブル９が、トラバースメカ２から上方に突設している。上述したディスク
のチャック時には、トラバースメカ２が上昇することによりディスクの中心孔がターンテ
ーブル９に嵌合し、更にトラバースメカ２が上昇することによりディスクがターンテーブ
ル９とクランパーとの間に挟み込まれる。
【００１９】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。
【００２０】
図２は、本実施例におけるトレイ部分を示す図であり、平面図としている。同図ではト
レイが閉じたときの各部の位置関係を、トレイを透視した状態で描いてある。また、図３
は図２の一点鎖線で囲んだＡ部詳細図であり、トレイギア及びその近傍の拡大図である。
なお、上記従来の技術と同様の機能を有する部分には同一の符号を付して、詳細な説明を
適宜省略する。
【００２１】
これらの図に示すように、本実施例では、トレイ１０のラック部１０ａにおいて、トレ
イギア８との最初の噛み合い部分となる１歯目を２歯分の大きさとした大歯部１０ａａを
設けている。一方、カムスライダー６のラック部６ａにおいても、同様にしてトレイギア
８との最初の噛み合い部分となる１歯目を２歯分の大きさとした大歯部６ａａを設けてい
る。そして、トレイギア８には、前記それぞれの大歯部に対応して、それらが噛み合うよ
うに１歯分以上の領域を削除した欠歯部８ａ，８ｂをそれぞれ設けている。
【００２２】
これにより、トレイギア８と各ラック部との噛み合いのズレ量を吸収し、位相ズレに対
する余裕度を向上させている。そして、トレイ１０やカムスライダー６のガタ要素を含ん
だ移動時の僅かなタイミングのズレや、使用者がトレイ１０を押すこと等の異常な負荷等
による、トレイギア８と各ラック部との位相ズレを防止している。また、１歯目の大歯部
１０ａａの他に、トレイ１０のラック部１０ａ全域に渡って、トレイギア８の欠歯部８ａ
，８ｂそれぞれに対応して噛み合う大歯部１０ａａ，１０ａｂを設けている。これにより
、ラック部１０ａの全域に渡って歯飛びを防止することができる。
【００２３】
なお、本ディスク装置の製造時には、トレイギア８の欠歯部８ａ，８ｂに対して、それ
ぞれ大歯部１０ａａ，６ａａを係合させつつ、トレイ１０及びカムスライダー６をローダ
ーシャーシ１に組み付けることができるので、組立時やメンテナンス時の作業性が向上す
るとともに、組み付け時の位相ズレが確実に防止される。
【図面の簡単な説明】
【００２４】
【図１】本発明の実施例１に係るディスク装置のディスクローダーを示す図。
【図２】本実施例におけるトレイ部分を示す図。
【図３】図２の一点鎖線で囲んだＡ部詳細図。
【図４】従来のディスク装置におけるトレイ部分を示す図。
【図５】図４の一点鎖線で囲んだＡ部詳細図。
【符号の説明】
【００２５】
１    ローダーシャーシ
２    トラバースメカ
３    ピックアップユニット
４    モータ
５    伝達手段
６    カムスライダー
７    シフトレバー
８    トレイギア
９    ターンテーブル
１０    トレイ
【図１】
2007018671.tif 000003
【図２】
2007018671.tif 000004
【図３】
2007018671.tif 000005
【図４】
2007018671.tif 000006
【図５】
2007018671.tif 000007